(57)【要約】【課題】一又は複数の撮影画像が配置された医用画像から個々の撮影画像を精度良く切り出す。各撮影画像と、撮影画像に含まれる文字との対応付けを行う。【解決手段】医用情報処理装置では、一又は複数の撮影画像が配置された医用画像の領域分割パターンを示すフォーマット毎に、各撮影画像の文字認識対象領域の位置情報及び切り出し領域の位置情報を対応付けて記憶している。医用画像から文字認識対象領域を抽出し（ステップＳ１）、文字認識対象領域に対して文字認識を行う（ステップＳ３）。次に、文字認識結果に基づいて、医用画像のフォーマットを特定し（ステップＳ４）、特定されたフォーマットに対応する各撮影画像の切り出し領域の位置情報に基づいて、医用画像から各撮影画像を切り出す（ステップＳ５）。そして、切り出された各撮影画像に各撮影画像の文字認識対象領域から得られた文字情報を付帯させ、出力先へ送信する（ステップＳ６）。【選択図】図９
2007282771.tif 000002
【特許請求の範囲】
【請求項１】
一又は複数の撮影画像が配置された医用画像の領域分割パターンを示すフォーマット毎に、前記各撮影画像の文字認識対象領域の位置情報及び前記各撮影画像の切り出し領域の位置情報を対応付けて記憶するフォーマット記憶手段と、
前記各撮影画像の文字認識対象領域に対して文字認識を行う文字認識手段と、
前記文字認識の結果に基づいて、前記医用画像のフォーマットを特定するフォーマット特定手段と、
前記特定されたフォーマットに対応する各撮影画像の切り出し領域の位置情報に基づいて、前記医用画像から前記各撮影画像を切り出す切り出し手段と、
前記切り出された各撮影画像に、その撮影画像の文字認識対象領域において文字認識が行われた文字情報を付帯させる文字情報付帯手段と、
を備えたことを特徴とする医用情報処理装置。
【請求項２】
コンピュータに、
一又は複数の撮影画像が配置された医用画像の領域分割パターンを示すフォーマット毎に、前記各撮影画像の文字認識対象領域の位置情報及び前記各撮影画像の切り出し領域の位置情報を対応付けて記憶手段に記憶させるフォーマット記憶機能と、
前記各撮影画像の文字認識対象領域に対して文字認識を行う文字認識機能と、
前記文字認識の結果に基づいて、前記医用画像のフォーマットを特定するフォーマット特定機能と、
前記特定されたフォーマットに対応する各撮影画像の切り出し領域の位置情報に基づいて、前記医用画像から前記各撮影画像を切り出す切り出し機能と、
前記切り出された各撮影画像に、その撮影画像の文字認識対象領域において文字認識が行われた文字情報を付帯させる文字情報付帯機能と、
を実現させるためのプログラム。
【発明の詳細な説明】
【技術分野】
【０００１】
本発明は、一又は複数の撮影画像が配置された医用画像を処理する医用情報処理装置及びプログラムに関する。
【背景技術】
【０００２】
医療の分野では、Ｘ線撮影装置等で撮影された医用画像上に患者を識別するための患者ＩＤや撮影条件を示す文字の画像を重畳して出力し、このような医用画像から文字認識を行うことによって、医用画像に関する情報を取得し、医用画像に付帯させることが行われている。
【０００３】
また、ＣＴ（Computed Tomography）やＭＲＩ（Magnetic Resonance Imaging）等の撮影装置では、フィルム出力装置等の出力装置に画像を出力する際に、マルチフォーマット形式で出力する場合が多い。マルチフォーマット形式の画像とは、１コマの画像に指定されたフォーマットで複数の画像を拡大／縮小して埋め込んだ画像をいう。
【０００４】
１枚のフィルムにハードコピーされた複数の画像を電子保管する場合、それらの画像を１枚ずつ分割して保管する必要があり、フィルム全体に記録された画像から個々の画像を切り出す作業が必要になる。そのため、フィルム画像に含まれる複数の小画像を区切るボーダーを検出することにより、複数の小画像の配置を検出し、それら小画像を個々に切り出す画像処理装置が提案されている（例えば、特許文献１参照）。
【特許文献１】特開２０００−３４２５３９号公報
【発明の開示】
【発明が解決しようとする課題】
【０００５】
しかし、モダリティから出力されるマルチフォーマット画像は、各画像にボーダー部分を付けて表示されることは少ない。また、画像の区切りとなるボーダー部分が存在する場合であっても、その幅は１ピクセル程度しかないため、ピクセル単位で検出を行う必要があり、ボーダーの抽出は難しかった。
【０００６】
また、上記従来技術においては、マルチフォーマット画像の各画像に患者ＩＤや撮影条件を示す文字が含まれている場合に、各画像と文字とを対応付けることは考慮されていなかった。
【０００７】
本発明は、上記の従来技術における問題に鑑みてなされたものであって、一又は複数の撮影画像が配置された医用画像から個々の撮影画像を精度良く切り出すことを課題とする。また、本発明は、各撮影画像と、撮影画像に含まれる文字との対応付けを行うことを課題とする。
【課題を解決するための手段】
【０００８】
上記課題を解決するために、請求項１に記載の医用情報処理装置は、一又は複数の撮影画像が配置された医用画像の領域分割パターンを示すフォーマット毎に、前記各撮影画像の文字認識対象領域の位置情報及び前記各撮影画像の切り出し領域の位置情報を対応付けて記憶するフォーマット記憶手段と、前記各撮影画像の文字認識対象領域に対して文字認識を行う文字認識手段と、前記文字認識の結果に基づいて、前記医用画像のフォーマットを特定するフォーマット特定手段と、前記特定されたフォーマットに対応する各撮影画像の切り出し領域の位置情報に基づいて、前記医用画像から前記各撮影画像を切り出す切り出し手段と、前記切り出された各撮影画像に、その撮影画像の文字認識対象領域において文字認識が行われた文字情報を付帯させる文字情報付帯手段と、を備えたことを特徴とする。
【０００９】
請求項２に記載の発明は、コンピュータに、一又は複数の撮影画像が配置された医用画像の領域分割パターンを示すフォーマット毎に、前記各撮影画像の文字認識対象領域の位置情報及び前記各撮影画像の切り出し領域の位置情報を対応付けて記憶手段に記憶させるフォーマット記憶機能と、前記各撮影画像の文字認識対象領域に対して文字認識を行う文字認識機能と、前記文字認識の結果に基づいて、前記医用画像のフォーマットを特定するフォーマット特定機能と、前記特定されたフォーマットに対応する各撮影画像の切り出し領域の位置情報に基づいて、前記医用画像から前記各撮影画像を切り出す切り出し機能と、前記切り出された各撮影画像に、その撮影画像の文字認識対象領域において文字認識が行われた文字情報を付帯させる文字情報付帯機能と、を実現させるためのプログラムである。
【発明の効果】
【００１０】
請求項１、２に記載の発明によれば、文字認識の結果に基づいて、医用画像のフォーマット、すなわち、医用画像内の各撮影画像の配置を特定するので、医用画像から個々の撮影画像を精度良く切り出すことができる。また、各撮影画像に、その撮影画像から認識された文字情報を付帯させるので、各撮影画像と、撮影画像に含まれる文字との対応付けを行うことができる。
【発明を実施するための最良の形態】
【００１１】
まず、構成を説明する。
図１に、本発明の実施の形態における医用情報処理装置３を含む医用画像システム１の構成を示す。
図１に示すように、医用画像システム１は、撮影装置２ａ，２ｂ、医用情報処理装置３、フィルム出力装置４、表示装置５、プリンタ６、サーバ７を備えて構成されている。この医用画像システム１は、撮影装置２ａ，２ｂで生成された医用画像をフィルム出力装置４、表示装置５、プリンタ６（これらを総称して出力装置という。）の各出力装置４〜６により出力、又は、サーバ７に保存するものである。なお、医用画像システム１におけるデータ通信は、ＤＩＣＯＭ（Digital Imaging and Communications in Medicine）規格に則った形式で行われる。ＤＩＣＯＭとは、医用画像と通信に関する標準規格であり、多くの医療機関で利用されている。
【００１２】
以下、各構成装置について説明する。
撮影装置２ａ，２ｂは、撮影動作を行うとともに、その撮影により医用画像のデータを生成する。
【００１３】
撮影装置２ａ，２ｂは、Ｘ線撮影装置や超音波／内視鏡撮影装置である。Ｘ線撮影装置は、被写体（患者）にＸ線を照射して撮影を行い、そのＸ線画像を生成する。Ｘ線画像はグレー画像で生成される。ここで、グレー画像とは、白、黒の無彩色又はその中間色からなる画像をいう。
【００１４】
超音波／内視鏡撮影装置は、超音波撮影及び内視鏡撮影が可能な撮影装置であり、超音波撮影又は内視鏡撮影による撮影画像を生成する。これら撮影画像はカラー画像で生成される。ここで、カラー画像とは、白、黒の無彩色に加え、赤、緑、青等の有彩色又はそれらの中間色からなる画像をいう。
【００１５】
撮影装置２ａ，２ｂでは、撮影画像上に文字画像を重ねる画像処理及びマルチフォーマット形式への変換処理が可能である。例えば、撮影装置２ａ，２ｂでは、撮影対象の患者の患者ＩＤや患者氏名、画像番号、撮影日、撮影時刻、部位名称、ウィンドウ中心、ウィンドウ幅、その他の撮影条件等に対応する文字画像を生成して撮影画像上の所定の位置に配置し、撮影画像と合成する。文字画像の配置位置は、例えば撮影画像の上部右上等、撮影画像中の被写体領域との重複が少ない位置に予め設定されている。
【００１６】
さらに、マルチフォーマット形式に変換する際には、文字画像が合成された撮影画像を拡大／縮小し、指定された領域分割パターン（フォーマット）に従って配置する。マルチフォーマット形式とは、図２（ｂ）、（ｃ）に示すように、１つの出力画像領域を複数に分割し、各分割領域に撮影画像を配置したものである。各撮影画像が連続して配置される方向をＸ方向及びＹ方向として、Ｘ方向の分割コマ数及びＹ方向の分割コマ数の組合せ（例えば２×３等）によって、各フォーマットを示すこととする。例えば、２×２のフォーマットが指定された場合には、図２（ｂ）に示すように出力画像領域を４つに等分割し、この分割された領域に４つの撮影画像をそれぞれ配置する。また、５×６のフォーマットが指定された場合には、図２（ｃ）に示すように出力画像領域を３０に等分割し、この分割された領域に３０の撮影画像をそれぞれ配置する。
【００１７】
図２（ａ）は、シングルフォーマット形式（１つの出力画像領域に１つの撮影画像を配置したもの）の画像である。図２（ａ）、（ｂ）及び（ｃ）に示すように、撮影装置２ａ，２ｂから出力される医用画像に含まれる文字領域Ｆの位置は、フォーマット毎に異なる。
【００１８】
医用情報処理装置３は、撮影装置２ａ，２ｂから送信される医用画像から各撮影画像を切り出し、切り出した各撮影画像を各出力装置４〜６、サーバ７に出力する。
【００１９】
図３に、医用情報処理装置３の内部構成を示す。
図３に示すように、医用情報処理装置３は、制御部３１、操作部３２、表示部３３、通信部３４、記憶部３５、画像メモリ３６を備えて構成され、各部はバス３７により接続されている。
【００２０】
制御部３１は、ＣＰＵ（Central Processing Unit）、ＲＡＭ（Random Access Memory）等からなる。制御部３１は、記憶部３５に記憶されている各種制御プログラムを読み出し、これら制御プログラムに従って医用情報処理装置３の各部の動作を集中制御する。
【００２１】
操作部３２は、キーボードやマウス等を備えて構成され、これらが操作されると、その操作に対応する操作信号を生成して制御部３１に出力する。
【００２２】
表示部３３は、ＬＣＤ（Liquid Crystal Display）等の表示ディスプレイを備え、制御部３１の表示制御に従って医用画像の他、操作画面や制御部３１の処理結果等の各種表示情報を表示する。
【００２３】
通信部３４は、通信用のインターフェイスを備え、外部装置と相互に通信を行う。例えば、通信部３４は、撮影装置２ａ，２ｂから医用画像を受信し、切り出した各撮影画像を出力装置４〜６、サーバ７へ送信する。
【００２４】
記憶部３５は、上記制御プログラムの他、プログラムの実行に必要なパラメータやデータ、制御部３１の処理結果等の各種情報を記憶する。例えば、記憶部３５は、フォーマットテーブル３５１、辞書テーブル３５２を記憶している。
【００２５】
フォーマットテーブル３５１には、図４に示すように、Ｘ方向の分割コマ数（列の数）及びＹ方向の分割コマ数（行の数）の組合せ、すなわち、フォーマット毎に、コマ数（医用画像中に配置された撮影画像の数）、各コマの文字認識対象領域（患者ＩＤ領域、患者氏名領域、その他の情報領域）の位置情報及び切り出し領域の位置情報が対応付けられて記憶されている。各撮影画像の患者ＩＤ領域には、撮影された患者の患者ＩＤの文字画像が合成されている。また、各撮影画像の患者氏名領域には、撮影された患者の氏名の文字画像が合成されている。また、各撮影画像のその他の情報領域には、画像番号、撮影日、撮影時刻、部位名称、撮影条件等の文字画像が合成されている。なお、文字認識対象領域の位置情報及び切り出し領域の位置情報は、医用画像を構成する画素位置を座標で表し、左上座標及び右下座標で定まる矩形領域をその位置として示すものである。
【００２６】
ここで、フォーマットテーブル３５１の登録について説明する。
例えば、図５に示すように、１×１のフォーマットの場合には、コマ数は１である。ユーザは、フォーマットテーブル３５１に、Ｘ方向の分割コマ数１、Ｙ方向の分割コマ数１と対応付けて、撮影画像１１ａにおける患者ＩＤ領域１２ａの位置情報、患者氏名領域１３ａの位置情報、その他の情報領域１４ａの位置情報、撮影画像１１ａを切り出すための切り出し領域の位置情報を予め登録しておく。
【００２７】
また、図６に示すように、２×１のフォーマットの場合には、コマ数は２である。ユーザは、フォーマットテーブル３５１に、Ｘ方向の分割コマ数２、Ｙ方向の分割コマ数１と対応付けて、コマ毎に撮影画像１１ｂ，１１ｃにおける患者ＩＤ領域１２ｂ，１２ｃの位置情報、患者氏名領域１３ｂ，１３ｃの位置情報、その他の情報領域１４ｂ，１４ｃの位置情報、撮影画像１１ｂ，１１ｃを切り出すための切り出し領域の位置情報を予め登録しておく。
【００２８】
図７に示す２×２のフォーマットの場合も同様に、ユーザは、フォーマットテーブル３５１に、Ｘ方向の分割コマ数２、Ｙ方向の分割コマ数２と対応付けて、１コマ目の撮影画像１１ｄ、２コマ目の撮影画像１１ｅ、３コマ目の撮影画像１１ｆ、４コマ目の撮影画像１１ｇについて、患者ＩＤ領域１２ｄ，１２ｅ，１２ｆ，１２ｇの位置情報、患者氏名領域１３ｄ，１３ｅ，１３ｆ，１３ｇの位置情報、その他の情報領域１４ｄ，１４ｅ，１４ｆ，１４ｇの位置情報、撮影画像１１ｄ，１１ｅ，１１ｆ，１１ｇを切り出すための切り出し領域の位置情報を予め登録しておく。
【００２９】
なお、文字認識対象領域の位置情報及び切り出し領域の位置情報は、最初の１コマの位置情報を登録し、その他のコマについては自動計算することとしてもよい。また、図４では、フォーマットテーブル３５１に、１×１から８×８までのフォーマットについてのデータが予め記憶されている場合を例にして説明したが、領域分割パターンはこれに限定されない。
【００３０】
辞書テーブル３５２は、文字認識のための辞書として準備された様々な文字画像（これを辞書画像という。）が設定されたものである。辞書テーブル３５２には、図８に示すように、辞書画像及びその辞書画像に対応する文字の情報が記憶されている。辞書画像は、フォーマット毎に用意されている。
【００３１】
画像メモリ３６は、画像を一時的に記憶するためのメモリである。
【００３２】
出力装置４〜６は、医用情報処理装置３から入力された撮影画像の出力動作を行うものであり、フィルム出力装置４はフィルム媒体に、表示装置５は表示ディスプレイに、プリンタ６は紙媒体に出力する。
【００３３】
サーバ７は、大容量メモリを備え、このメモリに医用情報処理装置３から送信された撮影画像を保存し、その入出力を管理するものである。
【００３４】
次に、動作について説明する。
各撮影装置２ａ，２ｂでは患者の撮影が行われると、その撮影画像が生成される。そして、撮影時に技師により入力された患者ＩＤ等の入力情報に応じた文字画像が生成され、撮影画像上の所定の位置に配置され、合成される。そして、指示に応じてマルチフォーマット形式に変換された医用画像が医用情報処理装置３に送信される。
【００３５】
医用情報処理装置３では、医用画像が入力されると、図９に示す画像切り出し処理が実行される。この画像切り出し処理は、制御部３１と記憶部３５に記憶されているプログラムとの協働により実現されるソフトウェア処理である。
【００３６】
図９に示すように、まず、フォーマットテーブル３５１に記憶されている各フォーマットに対応する患者ＩＤ領域、患者氏名領域、その他の情報領域の位置情報に基づいて、医用画像から文字認識対象領域として、患者ＩＤ領域、患者氏名領域、その他の情報領域が抽出される（ステップＳ１）。
【００３７】
次に、抽出された文字認識対象領域の画像が２値化され、２値化画像が生成される（ステップＳ２）。Ｘ線画像では、被写体画像以外の領域（例えば、Ｘ線が被写体を介さずに直接検出された素抜け領域等）は低信号値となるため、そのような領域に対して高信号値の文字画像が合成されることが多い。そのため、閾値以上の信号部分は高信号「１」、閾値未満の信号部分には低信号「０」を割り付ける２値化を行うことにより、高信号部分を文字画像として抽出することが可能となる。
【００３８】
次に、２値化画像と辞書テーブル３５２の各フォーマットに対応する辞書画像とのマッチングが行われて文字認識が行われる（ステップＳ３）。文字認識を行う際に、医用画像に含まれる各撮影画像に共通のデータと、撮影画像毎に異なるデータとで、文字認識の判定方法を変えることとしてもよい。具体的には、患者ＩＤや患者氏名等の患者情報については、各撮影画像で共通のデータとなるため、多数決処理により、患者情報として統一した認識結果とする。一方、画像番号、撮影日、撮影時刻、部位名称、ウィンドウ中心、ウィンドウ幅等の画像関連情報については、撮影画像毎に異なるデータとなるため、画像毎に文字認識結果を決定する。
【００３９】
次に、文字認識結果に基づいて、医用画像のフォーマットが特定される（ステップＳ４）。
図１０に、具体的な文字認識結果の例を示す。図１０では、各フォーマットの各コマの文字認識対象領域（患者ＩＤ領域、患者氏名領域、その他の情報領域）に対して、文字認識により文字が認識された場合には、その文字情報を記載し、文字が認識されなかった場合には、「なし」と記載することにより、文字認識結果を示している。ここでは、１×１から８×８のフォーマット全ての文字認識対象領域に対して、文字認識を行ったものとする。
【００４０】
まず、図１０に示す文字認識結果によると、１×１のフォーマットでは、文字認識対象領域から文字が認識されなかったため、この画像は、１×１のフォーマットに該当しないことがわかる。
【００４１】
２×１のフォーマットでは、１コマ目及び２コマ目の患者ＩＤ領域から「１２３４５」という文字が認識され、患者氏名領域から「ヤマダタロウ」という文字が認識され、その他の情報領域から撮影部位として「ＨＥＡＤ（頭部）」という文字が認識されている。したがって、この医用画像は、２×１のフォーマットである可能性を有している。
【００４２】
次に、２×２のフォーマットでは、１コマ目及び２コマ目の患者ＩＤ領域から「１２３４５」という文字が認識され、患者氏名領域から「ヤマダタロウ」という文字が認識され、その他の情報領域から撮影部位として「ＨＥＡＤ（頭部）」という文字が認識されている。また、３コマ目及び４コマ目の患者ＩＤ領域から「１２３４５」という文字が認識され、患者氏名領域から「ヤマダタロウ」という文字が認識され、その他の情報領域から撮影部位として「ＨＡＮＤ（手）」という文字が認識されている。したがって、この医用画像は、２×２のフォーマットである可能性を有している。
【００４３】
ここで、他のフォーマットについては、文字認識対象領域から文字が認識されなかったものとすると、この医用画像は、２×２のフォーマットであることがわかる。
【００４４】
次に、特定されたフォーマットに対応する各撮影画像の切り出し領域の位置情報に基づいて、医用画像から各撮影画像が切り出される（ステップＳ５）。
【００４５】
そして、各撮影画像に対応する文字認識対象領域から得られた文字情報が、各撮影画像の付帯情報として各画像のヘッダ領域に書き込まれる等して付帯され、通信部３４を介して各出力装置４〜６、サーバ７等の出力先へ送信される（ステップＳ６）。
【００４６】
図１１に、２×２のフォーマットの医用画像から各撮影画像が切り出されて、各撮影画像に対応する患者ＩＤ、患者氏名、その他の情報が付帯される例を示す。
【００４７】
以上説明したように、医用情報処理装置３によれば、予めフォーマット毎に文字認識対象領域を設定しておき、文字認識の結果に基づいて、医用画像のフォーマット、すなわち、医用画像内の各撮影画像の配置を特定するので、医用画像から個々の撮影画像を精度良く切り出すことができる。
【００４８】
また、各撮影画像に、その撮影画像から認識された文字情報を付帯させるので、各撮影画像と、撮影画像に含まれる文字との対応付けを行うことができる。各撮影画像の送信先においてその付帯情報を参照することにより、患者情報や撮影条件等の文字認識結果を活用することができる。
【００４９】
なお、上記実施の形態における記述は、本発明に係る医用情報処理装置の例であり、これに限定されるものではない。医用情報処理装置を構成する各部の細部構成及び細部動作に関しても本発明の趣旨を逸脱することのない範囲で適宜変更可能である。
【００５０】
例えば、上記実施の形態では、フォーマットの例として出力画像領域を等分割したもののみを示したが、これに限らず、左右非対称の分割領域を有する等、様々な分割パターンのフォーマットにおいても本発明を適用可能である。
【００５１】
また、各フォーマットに対して、コマ毎に文字認識対象領域の位置情報を登録すると、登録や文字認識に時間がかかるため、１行目の先頭のコマ、１行目の後尾のコマ、最終行の先頭のコマ、最終行の後尾のコマ等、フォーマットが特定できる文字認識位置のみを登録して、患者ＩＤや患者氏名等の患者情報のみに文字認識処理を行い、切り出された各撮影画像から、その他の情報を文字認識してもよい。
【００５２】
また、全てのフォーマットの文字認識対象領域に対して文字認識を行うと認識時間がかかってしまうため、Ｘ方向の分割コマ数又はＹ方向の分割コマ数のいずれかを先に確定することとしてもよい。例えば、１×１，２×１，・・・，８×１の各フォーマットに対応する文字認識対象領域に対して文字認識処理を行い、Ｘ方向の分割コマ数を確定する。ここで、３×１のフォーマットに合致する場合には、３×２，３×３，・・・，３×８の各フォーマットに対応する文字認識対象領域に対して文字認識処理を行い、Ｙ方向の分割コマ数を確定する。
【００５３】
また、使用頻度の高いフォーマットから順に文字認識を行ってもよい。撮影装置２ａ，２ｂから受信した医用画像毎に、全てのフォーマットに対する文字認識処理を行うと認識時間がかかってしまうため、フォーマット確定情報をテーブル化しておき、１ページ目の医用画像でフォーマットが確定したら、優先順位を高くし、次ページは、前ページのフォーマットから文字認識処理を行ってもよい。
また、実際に使用されるフォーマットのみを登録しておいてもよい。
【００５４】
また、撮影装置毎に、各フォーマットに対応する文字認識対象領域の位置を登録しておくこととしてもよい。
【００５５】
また、上記実施の形態では、フォーマット毎に切り出し領域の位置情報を予め登録しておくこととしたが、送信元の撮影装置２ａ，２ｂから画像サイズを取得して、特定されたフォーマットに基づいて、切り出し領域の位置を自動計算してもよい。
【００５６】
また、出力先に応じて、画像を切り出して出力するか、マルチフォーマット画像をそのまま出力するかを切り替え可能としてもよい。例えば、出力先がサーバ７の場合には、上記実施の形態で説明したように、各画像を切り出して出力し、出力先がフィルム出力装置４の場合には、文字認識のみ行い、画像を変更せずにマルチフォーマット画像の状態で出力するようにしてもよい。
【００５７】
また、送信元の撮影装置２ａ，２ｂから１コマずつ画像が送られる場合には、出力先がフィルム出力装置４のときには、複数の画像を１枚に配置して、その複数の画像が配置された画像上に各画像から認識された文字情報を拡大印字して出力し、出力先がサーバ７のときには、コマ毎に文字認識を行い、検査に共通のデータは検査毎に、画像毎のデータは画像毎に付帯情報として送信するようにしてもよい。
【図面の簡単な説明】
【００５８】
【図１】本発明の実施の形態における医用情報処理装置３を含む医用画像システム１の構成図である。
【図２】フォーマットの例を示す図である。
【図３】医用情報処理装置３の内部構成図である。
【図４】フォーマットテーブル３５１の例を示す図である。
【図５】１×１のフォーマットの医用画像の例を示す図である。
【図６】２×１のフォーマットの医用画像の例を示す図である。
【図７】２×２のフォーマットの医用画像の例を示す図である。
【図８】辞書テーブル３５２の例を示す図である。
【図９】医用情報処理装置３により実行される画像切り出し処理を説明するフローチャートである。
【図１０】文字認識結果の例を示す図である。
【図１１】２×２のフォーマットの医用画像から各撮影画像が切り出されて、各撮影画像に対応する患者ＩＤ、患者氏名、その他の情報が付帯される例を示す図である。
【符号の説明】
【００５９】
１  医用画像システム
２ａ，２ｂ  撮影装置
３  医用情報処理装置
３１  制御部
３２  操作部
３３  表示部
３４  通信部
３５  記憶部
３５１  フォーマットテーブル
３５２  辞書テーブル
３６  画像メモリ
３７  バス
４  フィルム出力装置
５  表示装置
６  プリンタ
７  サーバ
１１ａ，１１ｂ，１１ｃ，１１ｄ，１１ｅ，１１ｆ，１１ｇ  撮影画像
１２ａ，１２ｂ，１２ｃ，１２ｄ，１２ｅ，１２ｆ，１２ｇ  患者ＩＤ領域
１３ａ，１３ｂ，１３ｃ，１３ｄ，１３ｅ，１３ｆ，１３ｇ  患者氏名領域
１４ａ，１４ｂ，１４ｃ，１４ｄ，１４ｅ，１４ｆ，１４ｇ  その他の情報領域
【図１】
2007282771.tif 000003
【図２】
2007282771.tif 000004
【図３】
2007282771.tif 000005
【図４】
2007282771.tif 000006
【図５】
2007282771.tif 000007
【図６】
2007282771.tif 000008
【図７】
2007282771.tif 000009
【図８】
2007282771.tif 000010
【図９】
2007282771.tif 000011
【図１０】
2007282771.tif 000012
【図１１】
2007282771.tif 000013